(57)【要約】      （修正有）【課題】ディスクドライブ装置に対してレンズ装置が、略同軸上に重なるように配置された従来の撮像装置の小型化を図ること。【解決手段】ＤＶＤ−Ｒ８が出し入れ可能に収納されるディスク収納部４７と、ディスク収納部４７内に設けられ且つ着脱可能に装着されるＤＶＤ−Ｒ８を回転駆動するディスク回転装置３６と、被写体からの光が透過されるレンズ装置５と、そのレンズ装置５を透過した光が供給されることにより画像を形成すると共にその画像に対応した画像信号を出力するＣＣＤ６と、そのＣＣＤ６から出力される画像信号に基づいて画像情報をＤＶＤ−Ｒ８に記録可能な光学ピックアップ装置と、ディスク収納部４７内に設けられた放熱板５７と、を備えた撮像装置に関する。放熱板５７とＣＣＤ６とを伝熱可能に構成し、放熱板５７を介してＣＣＤ６の熱をディスク収納部４７に放熱可能とした。【選択図】図１２
2006148362.tif 000002
【特許請求の範囲】
【請求項１】
ディスク状記録媒体が出し入れ可能に収納されるディスク収納部と、
前記ディスク収納部内に設けられ且つ着脱可能に装着されるディスク状記録媒体を回転駆動するディスク回転手段と、
被写体からの光が透過されるレンズ装置と、
前記レンズ装置を透過した光が供給されることにより画像を形成すると共に当該画像に対応した画像信号を出力する撮像素子と、
前記撮像素子から出力される画像信号に基づいて画像情報を前記ディスク状記録媒体に記録可能な記録手段と、
前記ディスク収納部内に設けられた放熱板と、を備え、
前記放熱板と前記撮像素子とを伝熱可能に構成し、前記放熱板を介して前記撮像素子の熱を前記ディスク収納部に放熱可能としたことを特徴とする撮像装置。
【請求項２】
前記ディスク収納部には、前記ディスク回転手段が取り付けられるメカデッキを配置し、
前記メカデッキを略Ｄ字状に形成すると共に、当該メカデッキの円弧のない部分に、前記レンズ装置を、そのレンズの光軸を前記ディスク回転手段の回転軸の軸方向と略平行をなす方向に延在させて配置したことを特徴とする請求項１記載の撮像装置。
【請求項３】
前記ディスク回転手段に装着された前記ディスク状記録媒体の投影面内に、内部構造物を配置したことを特徴とする請求項１記載の撮像装置。
【請求項４】
前記ディスク収納部内に、前記メカデッキの円弧のない部分を覆う化粧板を配置して設け、当該化粧板は伝熱性の良い放熱板であることを特徴とする請求項１記載の撮像装置。
【請求項５】
前記放熱板を前記撮像素子に接近させ又は接触させたことを特徴とする請求項４記載の撮像装置。
【請求項６】
前記放熱板と前記撮像素子との間に、弾性と伝熱性とを有するシート部材を介在させたことを特徴とする請求項４記載の撮像装置。
【請求項７】
前記ディスク回転手段と前記レンズ装置と前記記録手段とが収納される撮像装置本体を設け、当該撮像装置本体の内部を２つの室に仕切るように前記メカデッキを配置したことを特徴とする請求項１記載の撮像装置。
【発明の詳細な説明】
【技術分野】
【０００１】
本発明は、情報記録媒体としてディスク状記録媒体を用いる撮像装置に関し、特に、ディスク回転手段を支持するメカデッキを略Ｄ字形に形成すると共に当該メカデッキの円弧のない部分にレンズ装置を配置した撮像装置に関するものである。
【背景技術】
【０００２】
従来の、撮像装置としては、例えば、特許文献１に記載されているようなものがある。特許文献１には、撮影情報を記録再生するための記録媒体に磁気記録方式等のハードディスク装置を使用したスチルビデオカメラに関するものが記載されている。
【０００３】
この特許文献１に記載されたスチルビデオカメラは、「レンズを通して取り込まれた撮影情報を電気的な影像信号に変換する固体撮像素子と、該固体撮像素子から読み出された影像信号をアナログ／デジタル変換するアナログ／デジタル変換器とを備えたカメラ本体を有し、該アナログ／デジタル変換器の出力を記録媒体に記録するスチルビデオカメラにおいて、前記記録媒体は、前記カメラ本体に内蔵したハードディスクで構成し、該ハードディスクを回転するためのモータ軸を、前記レンズの光軸と平行となるようには位置した」ことを特徴としている。
【０００４】
このような構成を有するスチルビデオカメラによれば、「比較的安価で、機動性に優れ、且つ高密度のデジタル影像記録が可能となり、且つカメラ本体に内蔵されたＨＤＤに対する振動や衝撃の悪影響が低減して良好な影像を記録再生できる」という効果が期待される。
【０００５】
また、従来の、この種の撮像装置の他の例としては、例えば、特許文献２に記載されているようなものもある。特許文献２には、デジタルビデオディスク等の円板状の記録再生用媒体に、画像情報を記録ないし再生するカメラ一体型記録再生装置に関するものが記載されている。
【０００６】
この特許文献２に記載されたカメラ一体型記録再生装置は、「静止画像およびまたは動画像等の画像情報を電気信号に変換する撮像素子を有するカメラ部と、円板状の記録媒体と、前記記録媒体を保持し所定速度で回転させる駆動手段と、前記記録媒体に、非接触で前記電気信号を記録信号に変換して螺旋状に記録し、前記記録媒体に記録された情報を再生し再生信号に変換する記録再生ヘッド部と、前記カメラ部と駆動手段と記録再生ヘッド部とを制御する制御回路部と、前記記録信号または再生信号を画像情報として表示する表示手段とで構成された」ことを特徴としている。
【０００７】
このような構成を有するカメラ一体型記録再生装置によれば、「利便性が良く安定したカメラ一体型記録再生装置が簡単な構成で提供でき、装置の低コスト化、小型化の効果が得られる」という効果が期待される。
【０００８】
しかしながら、上述した特許文献１の撮像装置においては、レンズ装置とハードディスクドライブ（ＨＤＤ）とが前後方向へ重なるように配置されており、磁気ディスクを回転するためのモータ軸を、レンズ装置のレンズの光軸と平行となるように配置する構成となっていた。そのため、カメラ本体の奥行き方向の長さが大きくなり、装置全体が大型化されているという課題があった。
【０００９】
また、上述した特許文献２の撮像装置においては、記録再生装置が収納された本体の外側にカメラ部が横並びとなるよう平行に配置されており、カメラ部レンズの光軸が、記録再生装置に装着されるディスクの外周縁より外側に設定されていた。そのため、カメラ本体の横方向の長さが大きくなり、同じく装置全体が大型化されているという課題があった。
【特許文献１】特開平６−９０４２６号
【特許文献２】特開平９−３２０１７０号
【発明の開示】
【発明が解決しようとする課題】
【００１０】
解決しようとする問題点は、従来のこの種の撮像装置では、ディスクドライブ装置に対してレンズ装置が、略同軸上に重なるように配置されていたり、横方向に大きく離されて配置されていたため、いずれの場合にも、撮像装置全体が大型化されており、撮像装置全体の小型化を図ることができないという点である。
【課題を解決するための手段】
【００１１】
本出願の撮像装置は、ディスク状記録媒体が出し入れ可能に収納されるディスク収納部と、そのディスク収納部内に設けられ且つ着脱可能に装着されるディスク状記録媒体を回転駆動するディスク回転手段と、被写体からの光が透過されるレンズ装置と、そのレンズ装置を透過した光が供給されることにより画像を形成すると共にその画像に対応した画像信号を出力する撮像素子と、その撮像素子から出力される画像信号に基づいて画像情報をディスク状記録媒体に記録可能な記録手段と、ディスク収納部内に設けられた放熱板と、を備え、放熱板と撮像素子とを伝熱可能に構成し、放熱板を介して撮像素子の熱をディスク収納部に放熱可能としたことを最も主要な特徴とする。
【００１２】
本出願の撮像装置は、ディスク収納部には、ディスク回転手段が取り付けられるメカデッキを配置し、そのメカデッキを略Ｄ字状に形成すると共に、そのメカデッキの円弧のない部分に、レンズ装置を、そのレンズの光軸をディスク回転手段の回転軸の軸方向と略平行をなす方向に延在させて配置したことを特徴とする。
【００１３】
本出願の撮像装置は、ディスク回転手段に装着されたディスク状記録媒体の投影面内に、内部構造物を配置したことを特徴とする。
【００１４】
本出願の撮像装置は、ディスク収納部内に、メカデッキの円弧のない部分を覆う化粧板を配置して設け、その化粧板は伝熱性の良い放熱板であることを特徴とする。
【００１５】
本出願の撮像装置は、放熱板を撮像素子に接近させ又は接触させたことを特徴とする。
【００１６】
本出願の撮像装置は、放熱板と撮像素子との間に、弾性と伝熱性とを有するシート部材を介在させたことを特徴とする。
【００１７】
また、本出願の撮像装置は、ディスク回転手段とレンズ装置と記録手段とが収納される撮像装置本体を設け、その撮像装置本体の内部を２つの室に仕切るようにメカデッキを配置したことを特徴とする。
【発明の効果】
【００１８】
本出願の撮像装置によれば、ディスク収納部とディスク回転手段とレンズ装置と撮像素子と記録手段と放熱板と、を備えた撮像装置において、撮像素子と放熱板を伝熱可能に構成し、放熱板を介して撮像素子の熱をディスク収納部に放熱する構成としたため、撮像素子の放熱効率を高め、ディスクドライブ装置及びその周囲に配置された装置、構成部品等の温度上昇を抑制して熱影響を少なくすることができ、その動作の確実性を高めることができる。
【００１９】
本出願の撮像装置によれば、メカデッキを略Ｄ字状に形成してディスク収納部に配置すると共に、そのメカデッキの円弧のない部分に、レンズの光軸をディスク回転手段の回転軸の軸方向と略平行に延在させてレンズ装置を配置する構成としたため、ディスク回転手段に装着されたディスク状記録媒体の下側に空間を作ってそこにレンズ装置を配置することができ、空いたスペースを有効に利用して、カメラ部を有する撮像装置の薄型化、小型化を図ることができる。
【００２０】
本出願の撮像装置によれば、ディスク回転手段に装着されたディスク状記録媒体の投影面内に撮像装置の内部構造を配置することにより、撮像装置の薄型化、小型化を図り、いわゆるディスクサイズと言われる小型の撮像装置を提供することができる。
【００２１】
本出願の撮像装置によれば、ディスク収納部内にメカデッキの円弧のない部分を覆う化粧板を配置し、その化粧板を伝熱性の良い放熱板で形成することにより、その放熱板でメカデッキ周囲の隙間を埋めて見映えを良好にすることができる。更に、スピンドルモータや撮像素子及びこれら周囲の放熱効率を高め、撮像素子や周囲に配置された装置、構成部品等の温度上昇を抑制し、熱影響を少なくして動作の確実性を高めることができる。
【００２２】
本出願の撮像装置によれば、放熱板を撮像素子に接近させ、又は放熱板を撮像素子に接触させることにより、放熱板で撮像素子の熱を奪って撮像素子の温度上昇を抑制することができる。これにより、撮像素子の発熱による温度上昇を抑制し、撮像素子の受光面に生じる白欠陥等の温度上昇による画質の劣化を防止することができる。
【００２３】
本出願の撮像装置によれば、弾性と伝熱性とを有するシート部材を放熱板と撮像素子との間に介在させることにより、押付け外力による撮像素子の歪みや変形等を抑制し、撮像素子の保護を図ることができる。
【００２４】
また、本出願の撮像装置によれば、ディスク回転手段等が収納される撮像装置本体の内部を２つの室に仕切るようにメカデッキを配置することにより、撮像装置本体内の空いたスペースの有効利用を図ることができ、カメラ部を有する撮像装置の薄型化、小型化を図ることができる。
【発明を実施するための最良の形態】
【００２５】
撮像素子の放熱効率を高め、撮像素子やその周囲に配置された装置、構成部品等の温度上昇を抑制し、それらの熱影響を少なくして、動作の確実性を高めることができる撮像装置を、簡単な構造によって実現した。
【実施例１】
【００２６】
図１〜図１８は、本発明の実施の形態の例を示すものである。即ち、図１〜図７は本発明の撮像装置の第１実施例に係るディスク式撮像装置を示すもので、図１は正面図、図２は底面図、図３は平面図、図４は背面図、図５は左側面図、図６は右側面図、図７は外観斜視図である。更に、図８は本発明に係る撮像装置のバックルを開いて正面側から見た斜視図、図９は同じくディスク蓋体とバックルを共に開いてディスク蓋体側から見た斜視図、図１０はディスク蓋体を開いた斜視図、図１１は同じく分解した斜視図、図１２はディスク式撮像装置の中央部を断面した説明図、図１３はディスク蓋体を開いて中央部を断面した説明図、図１４はディスクドライブ装置の底面図、図１５は同じく側面図、図１６は同じく斜視図、図１７は使用状態を示す説明図、図１８は本発明の撮像装置の第２実施例に係るディスク式撮像装置の要部を断面した説明図である。
【００２７】
図１〜図１１に示す撮像装置１は、情報記憶メディアとしてディスク状記録媒体の一具体例を示すＤＶＤ−Ｒ（Digital Video Disc−Recordable）を使用し、光学的な画像をＣＣＤ（固体撮像素子）で電気的な信号に変換してＤＶＤ−Ｒに記録したり、液晶ディスプレイ等の平面モニタからなる表示装置に表示できるようにしたもの（以下「ディスク式撮像装置」という。）である。しかしながら、本発明の撮像装置に係る情報記憶メディアとしては、ＤＶＤ−Ｒに限定されるものではなく、ＤＶＤ−ＲＷその他の記録可能な光学ディスクは勿論のこと、光磁気ディスク、磁気ディスク等のように他の記録方式のディスク状記録媒体を用いることができるものである。
【００２８】
このディスク式撮像装置１は、図１〜図１１に示すように、複数の開閉可能な蓋体が取り付けられる撮像装置本体２と、着脱自在に装着されるＤＶＤ−Ｒを回転駆動して情報信号の記録（書き込み）及び再生（読み出し）を行うディスクドライブ装置３と、このディスクドライブ装置３の駆動制御等を行う制御回路等が設けられた図示しない制御装置と、被写体の像を光として取り込んで撮像手段としてのＣＣＤ（固体撮像素子）６に導くレンズ装置５と、そのＣＣＤ６から出力される映像信号に基づき映像を表示する表示手段を有すると共に指令信号の入力手段を兼ねるタッチパネル装置７と、ＣＣＤ６から出力される映像信号を一時的に記憶する図示しない記憶装置等を備えて構成されている。これらディスクドライブ装置３とレンズ装置５とタッチパネル装置７等は、すべて撮像装置本体２内に収納されている。
【００２９】
図１〜図１１に示すように、撮像装置本体２は、中央部に配置されたセンタ枠体１０と、このセンタ枠体１０の一面側を覆うレンズ側外装体１１と、このレンズ側外装体１１に設けた開口部を開閉可能に覆うバックル１２とから構成されている。このセンタ枠体１０のレンズ側外装体１１と反対側は、ディスク状記録媒体が出し入れ可能に収納されるディスク収納部とされている。このディスク収納部は、センタ枠体１０に回動自在に取り付けられたディスク蓋体１３によって開閉可能に覆われている。
【００３０】
センタ枠体１０は、平面形状が略馬蹄形をなしており、略Ｕ字状をなす曲線枠部１６と、その曲線枠部１６の開口側を略直線状に連結する横桟部１５とを有する枠体からなっている。このセンタ枠体１０は、ディスクドライブ装置３等を収納できる高さを有しているが、横桟部１５側が高く設定されており、その反対側である曲線枠部１６の高さは、中央に至るに伴って逐次的に低くなるように勾配を有する形状とされている。このセンタ枠体１０内に、ディスクドライブ装置３や制御装置その他の装置及び機器が配置されている。このセンタ枠体１０のディスク蓋体１３と反対側の面に、レンズ側外装体１１が複数個の固定ネジによってネジ止めされて固定されている。
【００３１】
レンズ側外装体１１の横桟部１５側には、開口部１７が大きく開口されて設けられている。この開口部１７がバックル１２によって開閉自在とされており、そのバックル１２は、センタ枠体１０に回動自在に支持された一対のヒンジアーム２３，２３によって回動自在に支持されている。この一対のヒンジアーム２３，２３の回動動作によってバックル１２が、図７に示す閉鎖位置若しくは図８に示す開放位置、又はこれら閉鎖位置から開放位置までの間の任意の位置で停止可能に構成されている。
【００３２】
バックル１２の内面の外周縁には、その全周に亘ってシール部材２４が取り付けられている。このシール部材２４は、バックル１２と撮像装置本体２との間の液密性を確保し、バックル１２内部の防水（若しくは防滴）構造を実現するものである。シール部材２４は、例えば、２色成形によってバックル１２と一体に形成してもよく、また、紐状のシール部材を接着剤でバックル１２に接着して一体的に設ける構成としてもよい。
【００３３】
このバックル１２は、バッテリー収納部１８を有する開口部１７を開閉する蓋体としての機能の他に、ディスク蓋体１３を閉じた位置に強く締め付けて固定する締結具の機能も兼ね備えている。そのため、バックル１２の先端側の略中央部には、回動自在に支持されたローラ３０を有する締結具２９が設けられている。これに対応させて、ディスク蓋体１３の先端側の略中央部には、ローラ３０が着脱自在に係合される係合突起３１が設けられている。この係合突起３１にローラ３０を乗り越えさせて締結具２９を係合することにより、ディスク蓋体１３をバックル１２で強固に締め付けて閉じた位置に保持することができる。
【００３４】
この締め付け動作と逆動作を締結具２９に加え、ディスク蓋体１３の係合突起３１から離れる方向にローラ３０を回動させてその係合状態を解除することにより、バックル１２を開放して開口部１７を開口させることができる。この開口部１７内にはバッテリー収納部１８と３つの操作手段が配置されており、これらがバックル１２によって閉塞又は開放可能とされている。３つの操作手段は、記録手段によるディスク状記録媒体への記録動作を停止させる第１の操作手段である記録停止スイッチ２１と、第２の操作手段であるスライドツマミ２２と、何らかのトラブルによって起動停止されたディスク式撮像装置１を再起動させるための再起動スイッチ２７である。
【００３５】
かくして、バックル１２が図７に示す閉じた位置にあるときには、開口部１７がバックル１２によって閉じられるため、バッテリー収納部１８と３つの操作手段とが共に覆い隠される。しかも、バックル１２の内面の外周縁に設けたシール部材２４が全周に亘ってレンズ側外装体１１に水密に密着されるため、その接触部から撮像装置本体２の内部に埃やゴミ等が入り込むのを防止できることは勿論のこと、水や水分等の液体が入り込むことをも確実に防止することができる。
【００３６】
一方、バックル１２が、図８に示す開放位置にあるときには、バッテリー収納部１８と記録停止スイッチ２１とスライドツマミ２２と再起動スイッチ２７とがそれぞれ露出される。そのため、バックル１２の開放状態では、バッテリー収納部１８から電源の一具体例を示すバッテリー２８を取り出したり、そのバッテリー収納部１８に新たなバッテリー２８を装着したりすることができる。また、バックル１２が開放位置にあるときにのみ記録停止スイッチ２１とスライドツマミ２２と再起動スイッチ２７とが操作可能な状態となるため、バックル１２が開放される前にスライドツマミ２２が誤って操作されたり、所定の情報信号が記録される前に誤ってディスク蓋体１３が開放されて、記録漏れ等の不具合が発生するのを防止することができる。
【００３７】
バッテリー収納部１８は、バッテリーホルダ１９によって構成されている。バッテリーホルダ１９は、上面と前面に開口された長方形の筐体からなり、底面部と背面部と左右の側面部とが設けられている。バッテリーホルダ１９の背面部には、バッテリー２８の端子部に接続される本体側の接続端子が取り付けられる端子部が設けられている。更に、バッテリーホルダ１９の左側面部の前部には、記録停止スイッチ２１を保持するスイッチ受け台９５が設けられている。また、バッテリーホルダ１９の右側面部には、図示しない結露センサ（結露感知装置）が取り付けられる。この結露センサは、撮像装置本体２内の結露を検出するものである。この結露センサが撮像装置本体２内の結露を検出した場合には、例えば、ディスクドライブ装置３の動作を停止させて書き込み等が行われないようにする。
【００３８】
図９、図１１及び図１２に示すように、ディスクドライブ装置３は、メカデッキ３５とテーブル回転手段の一具体例を示すテーブル回転装置３６と光学ピックアップ装置３７とピックアップ移動装置等を備えて構成されている。図１４〜図１６に示すように、メカデッキ３５は、ＤＶＤ−Ｒと略同程度の大きさを有する略Ｄ字状に形成された枠体からなり、複数個（本実施例では４個）のマウント部材４３を介してセンタ枠体１０に弾性的に支持されている。即ち、メカデッキ３５は、ＤＶＤ−Ｒ８の半径と略同程度の曲率半径によって円弧状に形成された円弧部３５ａと、この円弧部３５ａに連続して形成された略コ字状をなすコ字状部３５ｂとから構成されている。
【００３９】
メカデッキ３５のコ字状部３５ｂは、円弧部３５ａの反対側に対向するように設けられた弦部３５ｂ１と、この弦部３５ｂ１の両端に連続すると共に当該弦部３５ｂ１が延在する方向と直交する方向に延在された一対の連結部３５ｂ２，３５ｂ３とからなり、一対の連結部３５ｂ２，３５ｂ３の各端部に円弧部３５ａの両端が連続されている。弦部３５ｂ１の長手方向の両端及び一対の連結部３５ｂ２，３５ｂ３の各端部には、ゴム状の弾性体からなるマウント部材４３が着脱可能に装着されるマウント受部３５ｃが設けられている。これらマウント受部３５ｃに装着されたマウント部材４３を介してメカデッキ３５が、センタ枠体１０に弾性的に支持されている。
【００４０】
メカデッキ３５の弦部３５ｂ１の略中央部には、固定ネジによってモータベース４６がネジ止めされている。モータベース４６には、テーブル回転装置３６が固定ネジ等による固着手段によって固定されている。テーブル回転装置３６は、図１２及び図１３に示すように、モータベース４６に固定されたスピンドルモータ４０と、このスピンドルモータ４０の回転部に固定されたターンテーブル４１等から構成されている。
【００４１】
図９に示すように、ターンテーブル４１は、ＤＶＤ−Ｒの中心孔が嵌合されるディスク嵌合部４１ａと、中心孔の周縁部が載置されるディスク載置部４１ｂとからなっている。ターンテーブル４１の嵌合部４１ａには、ＤＶＤ−Ｒの中心孔の周縁部に係合してＤＶＤ−Ｒを保持する複数個のクランプ爪４２（本実施例では３個）が周方向に等間隔あけて設けられている。各クランプ爪４２は、それぞれコイルバネによって半径方向外側へ付勢されている。このコイルバネのバネ力によるクランプ爪４２の保持力により、ＤＶＤ−Ｒがターンテーブル４１の中央にセンタリングされ、一定の保持力で保持される。このコイルバネのバネ力に抗してクランプ爪４２を後退させることにより、ターンテーブル４１に対するＤＶＤ−Ｒの装着動作及び離脱動作が可能となる。
【００４２】
このテーブル回転装置３６の側方において、メカデッキ３５の円弧部３５ａとコ字状部３５ｂとで囲まれた空間内に記録手段の一具体例を示す光学ピックアップ装置３７が配置されている。光学ピックアップ装置３７は、ＤＶＤ−Ｒ８の情報記録面に対向されるピックアップレンズ４４を有する二軸アクチュエータと、この二軸アクチュエータが搭載されたスライド部材４５等を備えて構成されている。図１４及び図１６に示すように、スライド部材４５は、ピックアップ移動装置４９によって往復移動自在とされていて、テーブル回転装置３６に対して接近及び離反可能に構成されている。
【００４３】
ピックアップ移動装置４９は、互いに平行に配置された２本のガイド軸５１ａ，５１ｂと、これらガイド軸５１ａ，５１ｂと平行に設けられた送りネジ軸と、この送りネジ軸を回転駆動する送りモータ等から構成されている。２本のガイド軸５１ａ，５１ｂは、スピンドルモータ４０を両側から挟むように延在されている。この２本のガイド軸５１ａ，５１ｂにスライド部材４５が摺動可能に保持されており、そのスライド部材４５に取り付けられたナット部材が送りネジ軸のネジ部に係合されている。かくして、ピックアップ移動装置の送りモータを回転駆動することにより、送りネジ軸の回転方向に応じて光学ピックアップ装置３７が、ターンテーブル４１に近づく方向とそのターンテーブル４１から離れる方向とに選択的に移動される。
【００４４】
このような構成を有するディスクドライブ装置３が、ターンテーブル４１をディスク蓋体１３側に配した状態でセンタ枠体１０に取り付けられている。このディスクドライブ装置３のターンテーブル４１側に、ＤＶＤ−Ｒ８等のディスク状記録媒体が着脱可能に装着されるディスク収納部４７が設定されている。このディスクドライブ装置３により、図１２に示すように、撮像装置本体２の内部空間が、ディスク収納部４７を有する第１の室９７と、バックル１２によって開閉される開口部１７を有する第２の室９８とに仕切られている。第１の室９７と第２の室９８は、バッテリーホルダ１９に設けた通気口や、部品間の隙間、装置間の隙間等によって連通され、第１の室９７と第２の室９８との間に空気が移動可能とされている。
【００４５】
更に、図１２に示すように、撮像装置本体２内のディスクドライブ装置３の奥であるメカデッキ３５の円弧のない部分としてのコ字状部３５ｂの外側には、レンズ装置用の空間部が設定されており、その空間部内にレンズ装置５が配置されている。レンズ装置５は、複数個の筒体の組み合わせからなるレンズ鏡筒５３と、このレンズ鏡筒５３に保持された撮像レンズ６２を含む複数枚のレンズの組み合わせからなるレンズユニットとを備えて構成されている。そのレンズユニットの光軸ＣＬ上の後方に、撮像手段の一具体例を示すＣＣＤ６が配置されている。ＣＣＤ６はレンズ鏡筒５３に固定されており、その受光面の略中央部にレンズユニットの光軸ＣＬが配置されている。
【００４６】
レンズ装置５は、その撮像レンズ６２をディスク収納部４７と反対側のレンズ側外装体１１側に設定すると共に、その略全体がターンテーブル４１に装着されたＤＶＤ−Ｒ８の平面上に投影した領域（投影面）内に収まるように配置されている。更に、レンズ装置５のレンズユニットの光軸ＣＬは、ＤＶＤ−Ｒ８の平面と略垂直をなす方向、言い換えるとデーブル回転装置３６のターンテーブル４１の回転軸と略平行をなす方向に延在されている。
【００４７】
図１０及び図１１に示すように、ディスク収納部４７には、レンズ装置５とディスクドライブ装置３周囲の空いた空間とを覆い隠すように化粧板５７が設けられている。化粧板５７は、メカデッキ３５の円弧のない部分、即ち、円形からＤ字形を除いた残りの部分を覆うことができる形状を有する偏平の板体からなっている。この化粧板５７は、伝熱性に優れて放熱効果の高い金属材料、例えばアルミニウム合金、鉄、銅等によって形成されている。しかしながら、化粧板５７は、金属材料に限定されるものではなく、伝熱性に優れている材料であれば、エンジニアリングプラスチック、複合材料その他各種の材料を用いることができることは勿論である。
【００４８】
放熱板である化粧板５７は、図示しない複数個の固定ネジによってセンタ枠体１０に着脱可能に取り付けられている。図１２に示すように、化粧板５７の裏面には、レンズ鏡筒５３に取り付けられているＣＣＤ６が、互いに極めて接近した状態で対向されている。これにより、ＣＣＤ６で発生される熱の多くを化粧板５７に伝達させ、撮像装置本体２内のディスク収納部４７という広い空間部分で放熱させて、ＣＣＤ６の温度上昇を抑制すると共に、ＣＣＤ６の周囲が局部的に高温となるのを防止するようにしている。
【００４９】
この化粧板５７は、本実施例では、ＣＣＤ６の近傍に配置したが、ＣＣＤ６に直接接触させる構成としてもよい。かかる場合には、ＣＣＤ６から化粧板５７に伝達される熱の伝熱効率を高め、ＣＣＤ６の温度上昇をより効果的に抑制することができる。また、化粧板５７とＣＣＤ６との間に、弾性と伝熱性の両性質を備えたシート部材（例えば、伝熱性を有するシリコンゴム、その他のゴム状弾性体等）を挟み込む構成とすることもできる。かかる場合には、ＣＣＤ６の温度上昇を抑制する効果の他に、ＣＣＤ６に付与される押付け外力をそのシート部材で吸収して、その外力によるＣＣＤ６の歪み等を抑止することができる。
【００５０】
このように配設されたレンズ装置５のレンズユニットを透過した被写体の光がＣＣＤ６に受光されることにより、その被写体に対応した電気信号からなる映像信号がＣＣＤ６から制御装置や表示装置等に出力される。このレンズ装置５の撮像レンズ６２側を覆うために、図１２に示すように、レンズ側外装体１１にはレンズ用膨出部１１ａが設けられている。このレンズ用膨出部１１ａには、レンズカバー６５が装着されている。レンズカバー６５は、レンズ用膨出部１１ａに見合う形状とされていて、両者にはレンズ鏡筒５３の撮像レンズ６２を露出させるための開口穴７８が設けられている。レンズカバー６５は、複数個の固定ネジによってレンズ側外装体１１に着脱可能に取り付けられている。
【００５１】
図４及び図９に示すように、ディスク蓋体１３には、円形に盛り上げられた膨出部１３ａが設けられている。この膨出部１３ａは、ターンテーブル４１に装着されるディスク状記録媒体（例えば、直径が８ｃｍのＤＶＤ−Ｒ等）の大きさに見合う大きさとされている。このディスク蓋体１３の膨出部１３ａの略中央部には長方形をなす開口窓４８が設けられており、その開口窓４８には表示装置の一具体例を示すタッチパネル装置７が取り付けられている。
【００５２】
図１２に示すように、タッチパネル装置７は、タッチパネル７ａと表示パネル７ｂとバックライトパネル７ｃとホルダ７ｄと押え部材７ｅ等を備えて構成されている。タッチパネル７ａの一面に表示パネル７ｂが接着剤等で接着され、その表示パネル７ｂの他面にバックライトパネル７ｃが配置されている。表示パネル７ｂとバックライトパネル７ｃの周囲は、四角形の枠体からなるホルダ７ｄによって囲われており、このホルダ７ｄがタッチパネル７ａとバックライトパネル７ｃで挟持されていて、これにより、全体で１つの組立体をなすタッチパネル装置７が構成されている。表示パネル７ｂとしては、例えば、液晶ディスプレイ（ＬＣＤ）やＥＬ(Electroluminescence）パネル等の平面モニタが好適である。
【００５３】
ディスク蓋体１３は、ヒンジ機構６９によってセンタ枠体１０に回動自在に支持されている。ディスク蓋体１３の膨出部１３ａのタッチパネル装置７の下部には、電源をオン・オフ等するための切換スイッチ５０等が配設されている。切換スイッチ５０は、円弧状にスライド可能とされていると共に、所定位置において押圧操作可能に構成されている。即ち、切換スイッチ５０は、スライド操作によって電源のオン・オフが切り換えられると共に、その電源のオン位置において押圧操作することにより、撮影モード（例えば、静止画撮影、動作撮影、再生表示等）の切り換えが可能とされている。このディスク蓋体１３の膨出部１３ａより外側の右上部には、撮像装置本体２を把持するための把持部５２の一部を構成する第１の指掛け部５２ａが設けられている。この第１の指掛け部５２ａには、右手の親指が当接される。
【００５４】
図３及び図９に示すように、センタ枠体１０の曲線枠部１６における横桟部１５側の一方の端部には、撮影の開始と終了を実行する録画ボタン５４と、一対のズームボタンが配置されている。一対のズームボタンは、レンズ装置５をワイド（広角）側に移動させるワイドボタン５５と、レンズ装置５をテレ（望遠）側に移動させるテレボタン５６とから構成されている。ワイドボタン５５とテレボタン５６は、それぞれのボタンを押し続ける間だけ画面の拡大又は縮小が連続して実行され、それぞれの終端においてワイド側又はテレ側への移動が停止されるようになっている。
【００５５】
図２及び図７に示すように、センタ枠体１０の曲線枠部１６における横桟部１５側の他方の端部には、このディスク式撮像装置１を、図示しない三脚に取り付けるための三脚用固定金具５８が埋め込まれ、複数個の固定ネジ５９によって着脱可能に取り付けられている。三脚用固定金具５８は、長手方向両端の円弧部分の曲率半径が異なる略長円形の部材からなり、その大径側に三脚の固定ネジが螺合されるネジ穴５８ａが設けられている。
【００５６】
図１７は、本実施例に係るディスク式撮像装置１の使用状態の一例を示すものである。右手は撮影装置本体２の把持部５２を把持するように用いられ、左手は撮影装置本体２のレンズ装置５の近傍を把持するように用いられる。そのため、図１〜図３に示すように、レンズ側外装体１１のレンズ装置５と反対側の端部には、撮影装置本体２の把持部５２の一部を構成する第２の指掛け部５２ｂが設けられている。
【００５７】
ディスク式撮像装置１の把持部５２の第２の指掛け部５２ｂには、右手の中指や薬指が当接される。この第２の指掛け部５２ｂに掛けられる右手の中指等と、第１の指掛け部５２ａに掛けられる右手の親指によって把持部５２が把持される。そして、右手の人差し指は、撮影装置本体２の上方に回され、録画ボタン５４とワイドボタン５５とテレボタン５６との３つの操作ボタン５４〜５６の操作に供される。このようにしてディスク式撮像装置１がユーザーに保持され、人差し指による３つの操作ボタン５４〜５６の操作を経て所望の被写体を、所望の構図、大きさ等によって撮影することができる。
【００５８】
このような構成を有するディスク式撮像装置１によれば、ディスクドライブ装置３のメカデッキ３５を略Ｄ字状に形成してディスク状記録媒体の下側に空間を作り、その空間に、レンズ光軸をディスクの平面と略垂直をなす方向（ディスク回転手段の回転軸の軸方向）と略平行に延在させてカメラ部を配置することにより、装置全体を小型化、薄型化させることができ、いわゆるディスクサイズと言われるビデオカメラを実現することができる。また、メカデッキ３５の外側のコ字状部分を化粧板５７で囲うと共に、その化粧板５７を伝熱性に優れた放熱板で形成することにより、ＣＣＤ６を効果的に放熱させることができる。その結果、ＣＣＤ６やその周囲に存在する部品等の温度上昇を抑制し、良好な撮影活動を実行することができると共に、内部を隠して視覚的効果を高めることができる。
【００５９】
図１８は、本発明に係るディスク式撮像装置の第２の実施例を示すものである。この実施例に示すディスク式撮像装置３０１は、前後方向に延在された筐体からなる撮像装置本体３０２を有し、その撮像装置本体３０２の前面上部にレンズ装置３０５を設けたものである。撮像装置本体３０２の一方の側面にはディスク収納部３０７が設定されており、そのディスク収納部３０７がディスク蓋体３０３によって開閉可能とされている。ディスク蓋体３０３は、撮像装置本体３０１の後部に設けられたヒンジ機構３０８によって回動自在に支持されている。これにより、ディスク蓋体３０３は、ヒンジ機構３０８を回動中心として側方に回動可能とされていて、いわゆる前開き式の蓋として構成されている。
【００６０】
レンズ装置３０５は、被写体に対向される撮像レンズ３１１と、その撮像レンズの後方に配置された複数のレンズからなるレンズ群３１２との組み合わせからなり、そのレンズユニットの後方にＣＣＤ（固体撮像素子）３０６が配置されている。これらレンズ装置３０５及びＣＣＤ３０６は、撮像装置本体３０２の前面から前方に突出されたレンズ収納部３１０内に収納されている。そして、ＣＣＤ３０６の受光面の略中央部にレンズユニットの光軸ＣＬが一致するように構成されている。
【００６１】
ＣＣＤ３０６の後方には放熱板３１７が配置されている。放熱板３１７は、ディスク収納部３０７に展開された放熱部３１７ａと、ＣＣＤ３０６の背面に配置された伝熱部３１７ｂとからなり、これら放熱部３１７ａ及び伝熱部３１７ｂは、熱を伝え易い伝熱性に優れた材料によって一体に形成されている。放熱板３１７の伝熱部３１７ｂは、ＣＣＤ３０６の背面に接触させてもよく、また、適当な隙間をあけて対向設置させてもよい。放熱板３１７の放熱部３１７ａは、ディスク収納部３０７の空間部内に入り込める形状（本実施例では円弧形）に形成されている。ＣＣＤ３０６から放射された熱は、伝熱部３１７ｂから放熱板３１７に伝達されて放熱部３１７ａからディスク収納部３０７に放射される。
【００６２】
ディスク式撮像装置３０１のその他の構成は、前記第１の実施例に係るディスク式撮像装置１と同様である。このような構成を有する放熱板３１７等を備えたディスク式撮像装置３０１によっても、前記第１の実施例と同様の効果を得ることができる。
【００６３】
以上説明したが、本発明は前記実施例に限定されるものではなく、例えば、前記実施例においては、レンズ装置５を撮像装置本体２に固定した例について説明したが、レンズ装置５を撮像装置本体２に対して回動可能に構成し、撮影角度を変えることができる撮像装置に適用できることは勿論である。また、メカデッキの形状を、その撮像装置に必要なブロック形状に合わせて形成し、ディスク状記録媒体の投影面内に略収まるように配置する構成とすることもできる。
【産業上の利用可能性】
【００６４】
本発明はディスク式撮像装置以外の撮像装置、例えば、電子スチルカメラ、ビデオカメラ、カメラ機能付きパーソナルコンピュータ、カメラ機能付き携帯電話機、カメラ機能付きＰＨＳその他各種の撮像装置に適用できることは勿論である。このように、本発明は、前述しかつ図面に示した実施の形態に限定されるものではなく、その要旨を逸脱しない範囲内で種々の変形実施が可能である。
【図面の簡単な説明】
【００６５】
【図１】本発明の撮像装置の第１の実施例に係るディスク式撮像装置を示す正面図である。
【図２】図１に示すディスク式撮像装置の底面図である。
【図３】図１に示すディスク式撮像装置の平面図である。
【図４】図１に示すディスク式撮像装置の背面図である。
【図５】図１に示すディスク式撮像装置の左側面図である。
【図６】図１に示すディスク式撮像装置の右側面図である。
【図７】図１に示すディスク式撮像装置をレンズ側外装体側から見た外観斜視図である。
【図８】図１に示すディスク式撮像装置を、バックルを開けてレンズ側外装体側から見た外観斜視図である。
【図９】図１に示すディスク式撮像装置を、ディスク蓋体とバックルを開けてディスク蓋体側から見た斜視図である。
【図１０】図１に示すディスク式撮像装置のディスク蓋体を開いてディスク収納部を見た斜視図である。
【図１１】図１０に示すディスク式撮像装置のディスク蓋体と化粧板とレンズ装置を分解した斜視図である。
【図１２】図１に示すディスク式撮像装置の内部構造の概略構成を説明する断面図である。
【図１３】図１に示すディスク式撮像装置の内部構造を省略し、ディスク蓋体を開けてレンズ装置と化粧板とディスク回転装置の位置関係を説明する断面図である。
【図１４】図１に示すディスク式撮像装置に係るディスクドライブ装置の底面図である。
【図１５】図１に示すディスク式撮像装置に係るディスクドライブ装置の側面図である。
【図１６】図１に示すディスク式撮像装置に係るディスクドライブ装置を底面側から見た斜視図である。
【図１７】図１に示すディスク式撮像装置の使用状態を説明する斜視図である。
【図１８】本発明の撮像装置の第２の実施例に係るディスク式撮像装置の一部を断面して示す説明図である。
【符号の説明】
【００６６】
１，３０１…ディスク式撮像装置（撮像装置）、  ２，３０２…撮像装置本体、  ３…ディスクドライブ装置、  ５，３０５…レンズ装置、  ６，３０６…ＣＣＤ（固体撮像素子）、  ７…タッチパネル装置（表示装置）、  ８…ＤＶＤ−Ｒ（ディスク状記録媒体）、  １０…センタ枠体、  １１…レンズ側外装体、  １２…バックル、  １３，３０３…ディスク蓋体、  １８…バッテリー収納部、  ３５…メカデッキ、  ３５ａ…円弧部、  ３５ｂ…コ字状部、  ３６…ディスク回転装置（ディスク回転手段）、  ３７…光学ピックアップ装置（記憶手段）、  ４７，３０７…ディスク収納部、  ５３…レンズ鏡筒、  ５７，３１７…化粧板（放熱板）、  ６２，３１１…撮像レンズ、  ６５…レンズカバー、  ９７…第１の室、  ９８…第２の室、  ３１０…レンズ収納部
【図１】
2006148362.tif 000003
【図２】
2006148362.tif 000004
【図３】
2006148362.tif 000005
【図４】
2006148362.tif 000006
【図５】
2006148362.tif 000007
【図６】
2006148362.tif 000008
【図７】
2006148362.tif 000009
【図８】
2006148362.tif 000010
【図９】
2006148362.tif 000011
【図１０】
2006148362.tif 000012
【図１１】
2006148362.tif 000013
【図１２】
2006148362.tif 000014
【図１３】
2006148362.tif 000015
【図１４】
2006148362.tif 000016
【図１５】
2006148362.tif 000017
【図１６】
2006148362.tif 000018
【図１７】
2006148362.tif 000019
【図１８】
2006148362.tif 000020